(57)【要約】【課題】乾燥炉内への塵埃の侵入を抑え、侵入した塵埃や発生したヤニを常時捕らえて炉外に排出することができる乾燥装置を提供すること。【解決手段】乾燥炉２の床部２０を左右に間隙２９を設けた水パン２１で構成し、該水パン２１に、搬送方向の前後の給水部８１から水を供給し、他方の排水部８３から排水して流水を生成するとともに、乾燥炉２の床部２０近傍から熱風を吹き出させ、乾燥炉２の天井部４０近傍に設けた排気ダクト３７から排気するようにした。【選択図】図１
2008232517.tif 000002
【特許請求の範囲】
【請求項１】
被塗装物を乾燥するトンネル状の乾燥炉と、該乾燥炉内を前記被塗装物を載置して搬送する搬送機とを備え、該搬送機が、前記乾燥炉内部を移動する架台と、前記乾燥炉の床下に敷設され、支柱を介して前記架台を支持して搬送するコンベアとを備えた乾燥装置において、
前記乾燥炉の床部を水パンで構成し、該水パンに、搬送方向の前後の一方から水を供給し、他方から排水して流水を生成するようにしたことを特徴とする乾燥装置。
【請求項２】
請求項１に記載の乾燥装置において、
前記水パンは、前記支柱が移動可能な間隙が設けられて搬送方向の左右に分割されていることを特徴とする乾燥装置。
【請求項３】
請求項１に記載の乾燥装置において、
前記水パンは、前記乾燥炉の搬送方向略中央位置で前後に分割され、該中央位置でそれぞれ給水され、搬送方向前後端から排水されることを特徴とする乾燥装置。
【請求項４】
請求項１に記載の乾燥装置において、
前記乾燥炉は、該乾燥炉の床部近傍から熱風を吹き出させ、天井部近傍から排気するようにしたことを特徴とする乾燥装置。
【発明の詳細な説明】
【技術分野】
【０００１】
本発明は、塗装後の車両等の被塗装物をコンベアで搬送しながら高温の雰囲気内で乾燥する乾燥装置に関し、特に、乾燥炉内に飛散した塵埃を捕捉することができる乾燥装置に関する。
【背景技術】
【０００２】
車両ボデーなどの塗装ラインでは、該車両をコンベア等の搬送機に載置して、塗装ブースで塗料を吹き付けて塗装し、乾燥装置で塗膜を焼付乾燥させて、次の組立あるいは艤装工程に搬送している。
そして、塗装ラインでは塵埃が舞い上がって被塗装物の塗装面に付着すると、その部分が凸部となって塗装品質不良となるので、極力塵埃が舞い上がらないような構造にする必要がある。特に乾燥炉では、塵埃が塗面に付着するとそのまま焼き付けられて硬化するので、後工程での修正作業が困難である。
【０００３】
そこで、乾燥装置の可動部分を乾燥炉外に設置して塵埃の発生を抑える構造として、特許文献１に記載されているような乾燥炉が提案されている。
すなわち、特許文献１に記載の乾燥炉１は、トンネル形の炉本体３と、ワークＷを載置する架台４が、炉本体３に沿ってその床下に敷設されたコンベアレール６上を走行するベース７に、支柱８を介して取り付けられ、支柱８がその搬送方向に沿って床壁３Ｆに形成されたスリット９から炉内に貫通された状態で走行するように構成されたコンベア２とから構成されたものである。
したがって、コンベアの可動部分（ベース７等）を床下に配置して、そこから発生した塵埃の炉内侵入を極力抑えることができる。
【０００４】
さらに、特許文献１に記載の乾燥炉１は、床面３ｆが、左右両側からスリット９に向かう下り勾配の傾斜面に形成されている。そして、この床面３ｆに水やアルカリ水等の洗浄液を流下させることにより、乾燥炉の運転を停止した状態で全体清掃を行う場合の労力を軽減するようにしたものである。
【特許文献１】特開平１１−１８８３０２号公報
【発明の開示】
【発明が解決しようとする課題】
【０００５】
ところが、上記特許文献１に記載の乾燥炉は、床面３ｆが左右両側からスリット９に向かう下り勾配の傾斜面に形成されていて、この床面３ｆに落下した塵埃は熱風吹出ノズル１２からの熱風によりスリット９に向かって吹き動かされ、スリット９に接続された排出管１８および排気管２０を通って外部に排出されるようにしたものであり、熱風の一部をワークＷの乾燥に使わずに排気するため、エネルギーの損失が大きく不経済であるという問題と、気流による塵埃の除去は確実ではないという問題がある。
また、炉出入口では塗料の揮発成分が高温にさらされて生じるヤニの捕捉ができず、炉内壁面に付着するため乾燥炉の全体清掃が必要であるが、その乾燥炉の清掃頻度を減少させることは困難であるという問題がある。
そして、床面３ｆに流す水等は、乾燥炉の運転を停止した状態で全体清掃を行う際の洗浄液であり、乾燥炉運転時の塵埃の捕捉には寄与しないものである。
なお、上記符号は特許文献１の符号であり、本発明の符号とは異なる。
【０００６】
そこで、本発明は、かかる課題を解決すべく、乾燥炉内への塵埃の侵入を抑えるとともに、侵入した塵埃や発生したヤニを常時捕捉して炉外に排出することができる乾燥装置を提供することを目的とする。
【課題を解決するための手段】
【０００７】
本発明に係る請求項１に記載の乾燥装置は、被塗装物を乾燥するトンネル状の乾燥炉と、該乾燥炉内を前記被塗装物を載置して搬送する搬送機とを備え、該搬送機が、前記乾燥炉内部を移動する架台と、前記乾燥炉の床下に敷設され、支柱を介して前記架台を支持して搬送するコンベアとを備えた乾燥装置において、前記乾燥炉の床部を水パンで構成し、該水パンに、搬送方向の前後の一方から水を供給し、他方から排水して流水を生成するようにしたことを特徴とする。
【０００８】
よって、水パンにより、床面に落下した塵埃やヤニを捕捉し、常に流水に乗せて炉外に排出することができるので、被塗装物への塵埃の付着を防止して塗装品質を向上させることができるとともに、乾燥炉内の清掃頻度を少なくすることができる。
【０００９】
また、本発明に係る請求項２に記載の乾燥装置は、請求項１に記載の乾燥装置において、前記水パンは、前記支柱が移動可能な間隙が設けられて搬送方向の左右に分割されていることを特徴とする。
よって、左右の水パンの間隔が狭いため、この間隙からの塵埃の侵入を防止することができるとともに、この間隙からのヤニの排出を防止し床下に備えたコンベアに付着することを防止して、コンベアのメンテナンス頻度を少なくすることができる。
【００１０】
また、本発明に係る請求項３に記載の乾燥装置は、請求項１に記載の乾燥装置において、前記水パンは、前記乾燥炉の搬送方向略中央位置で前後に分割され、該中央位置でそれぞれ給水され、搬送方向前後端から排水されることを特徴とする。
よって、前記請求項２の効果と相俟って、水パンを４分割に構成したので、中央位置で熱膨張を吸収することができるとともに、いずれか１の水パンが故障しても他の水パンにより機能を補うことができるので、乾燥炉の清掃頻度を少なくすることができる。
【００１１】
また、本発明に係る請求項４に記載の乾燥装置は、請求項１に記載の乾燥装置において、前記乾燥炉は、該乾燥炉の床部近傍から熱風を吹き出させ、天井部近傍から排気するようにしたことを特徴とする。
よって、熱風を自然に逆らわずに上昇気流とすることができるので、舞い上がった微小の塵埃を排気とともに乾燥炉外に排出することができるとともに、エネルギーを効率よく利用することができる。
【発明の効果】
【００１２】
本発明の乾燥装置によれば、床部に設けた水パンに流水を生成するとともに、乾燥炉の床部近傍から熱風を吹き出させ、天井部近傍から排気するようにしたことにより、乾燥炉内で落下した塵埃やヤニを水パンで捕捉することができるとともに、舞い上がった微小の塵埃を熱風とともに乾燥炉外に排出することができる。その結果、塵埃の被塗装物への付着を防止して被塗装物の塗装品質を向上できるとともに、炉内の清掃頻度を少なくできる乾燥装置を提供することができる。
【発明を実施するための最良の形態】
【００１３】
次に、本発明に係る乾燥装置の一の実施の形態について図面を参照して説明する。本実施の形態の乾燥装置は、自動車ボデーの塗装ラインの乾燥炉に設けられたものである。
ここで、図１は、乾燥装置の正面断面図であり、図２は、乾燥装置の側面概念図である。
【実施例】
【００１４】
乾燥装置の構成について説明する。乾燥装置１は、図１に示すように、塗装された被塗装物（自動車ボデー）５に熱風を当てて乾燥させる乾燥炉２と、該乾燥炉２の床部２０の下部に設けられた機械室３と、主要部が機械室３内に設置され、被塗装物５を乾燥炉２内で搬送する搬送機４とを備えている。
乾燥炉２は、床部２０と側壁部３０と天井部４０とからトンネル状に設置され、搬送機４に載置された被塗装物５が入口５１から後述するコンベア７０により搬送され、出口５３より出る間に熱風により塗料内に含まれる揮発成分を揮発させて焼付乾燥するようになっている。
【００１５】
側壁部３０は乾燥炉２の内面に互いに対向するダクト３０Ａを備え、熱源からダクト３０Ａに供給される熱風を、ダクト３０Ａの下部に設けた下吹出口３１から斜め上方に向けて吹き出し、ダクト３０Ａの上部に設けた上吹出口３３から略水平方向に吹き出すようになっている。
上吹出口３３のさらに上部には、乾燥炉２内に吹き出された熱風を炉外に排出する排出口３５を有する排気ダクト３７が設けられている。
【００１６】
次に、本発明の要部である床部２０について詳しく説明する。なお、以下の説明で「前後」、「左右」は搬送方向に対して前後左右という。
床部２０は、図１、図４に示すように、左右の側壁部３０から水平に連続する左右の床壁部２０１と、該床壁部２０１から水平に対向して延び、間に間隙２９を残して左右に設けられた床骨部２０２と、該床骨部２０２の上面に同じく間隙２９を残して据え付けられ、その内部に水を貯留可能な左右の水パン２１とを備えている。
水パン２１は、図２、図３に示すように、乾燥炉２の搬送方向略中央位置でエキスパンション部５５を挟んで前後に分割され、したがって、前記間隙２９とエキスパンション部５５とにより４分割されている。
【００１７】
すなわち、水パン２１は、図３に示すように、左前水パン２１１と、左後水パン２１２と、右前水パン２１３と、右後水パン２１４とを備え、それぞれの水パン２１は、底板２７と、該底板２７の左右から立ち上がる左右壁２３と、同じく底板２７の前後から立ち上がる前後壁２５とから細長の浅い箱状に形成されている。
そして、左前水パン２１１と右前水パン２１３の後部には給水部８１が設けられ、前部には排水部８３が設けられている。同様に、左後水パン２１２と右後水パン２１４の前部には給水部８１が設けられ、後部には排水部８３が設けられている。そして、乾燥装置１が運転状態の時は常時、給水部８１から水が供給され、排水部８３から排水されるように若干の傾斜がつけられており、これにより水パン２１に流水が生成されるようになっている。
【００１８】
エキスパンション部５５は、乾燥炉２内の温度上昇による各機材の膨張を吸収するために設けられるものである。
間隙２９は、後述する搬送機４の支柱６３が移動可能なように、できるだけ小さな間隙寸法で搬送方向と平行に設けられている。
【００１９】
搬送機４は、被搬送物である被塗装物５が載置され、乾燥炉２の床部２０より上方の乾燥炉２内を移動する架台６０と、床部２０の下部に設けられた機械室３に設置されたコンベア７０と、該架台６０とコンベア７０とを連結する支柱６３とを備えている。
コンベア７０は、機械室３の床面に設置されたベース７１と、該ベース７１上に左右に所定の間隔をおいて搬送方向に敷設されたレール７３、７３と、該レール７３の間に敷設された駆動チェーン７５と、レール７３上を転動する車輪７７１を左右に備え、駆動チェーン７５により搬送方向に移動可能なフレーム７７とを備えている。
【００２０】
フレーム７７は、前後方向に細長い長方形の枠状のもので、その左右に軸７７３により回転可能に支持された車輪７７１によりレール７３上を移動可能に設けられている。
フレーム７７の下面には、後述の駆動チェーン７５に設けられたプッシャ７５１と当接する当接爪７７５が設けられており、この当接爪７７５が駆動チェーン７５の駆動力をフレーム７７に伝達する。
フレーム７７の上面には、支柱６３の下端が固定されている。そして、支柱６３は前記間隙２９を通ってその上端が乾燥炉２内にある架台６０の下面に固定されており、該支柱６３により架台６０が乾燥炉２内を、フレーム７７が乾燥炉２外を移動可能に支持されている。
【００２１】
架台６０は、上面に被塗装物５を載置可能にするブラケット６１が立設された矩形の板状枠体である。
なお、前記支柱６３は、架台６０ならびにフレーム７７の左右方向中心位置から片寄った位置（図１では右側）に設けられているが、これは、コンベア７０の搬送運動の際に横ブレや転倒が発生するのを防止するためである。
【００２２】
駆動チェーン７５は、前記ベース７１上に設置された摺動路に沿って、図略の駆動源により無端状に回動し、所定ピッチで駆動チェーン７５に取り付けられたプッシャ７５１がフレーム７７に設けられた当接爪７７５に当接し、これを押圧してフレーム７７延いては架台６０及び被塗装物５を搬送方向に移動させて搬送する。
【００２３】
以上のように構成された本実施の形態の乾燥装置１の作用を説明する。図２、図３に示す矢印Ａ方向から、架台６０に載置された被塗装物５がコンベア７０により乾燥炉２内に搬送されてくると、吹出口３１、３３より吹き出している約１６０°Ｃという高温の熱風が被塗装物５に当たり、被塗装物５に塗布された塗料が焼き付けられる。
乾燥炉２内には吹出口３１、３３より常に熱風が吹き出されていて、乾燥炉２内は高温の乾燥状態であるため、塵埃も飛散しやすいが、乾燥炉２の出入口以外は床部２０の間隙２９しか炉外との連通部がないので、塵埃が侵入しにくい。
すなわち、搬送機４の稼動部であるコンベア７０が床部２０の下部の機械室３に納められているので、コンベア７０から発生する塵埃は狭い間隙２９からは乾燥炉２内に侵入しにくい。
【００２４】
さらに被塗装物５が乾燥炉２の奥に搬送されると、被塗装物５に塗布された塗料が焼かれ、その揮発分が蒸発してヤニ蒸気として発生するが、このヤニ蒸気はある温度以下に冷やされると凝縮し、固形物として構造物に付着し汚染する。この性質を利用し、水パン２１１、２１３の水温をヤニ蒸気が凝縮する温度以下に保つことにより、流水中にヤニが捕捉され、排水部８３から炉外に排出される。
【００２５】
たとえ出入口や間隙２９から侵入したり、架台６０や被塗装物５から発生した塵埃は、軽いものは熱風の流れに沿って、上方の排気口３５から吸引されて排気ダクト３７を通り炉外に排出される。
比較的重い塵埃やヤニは床部２０に落下するが、床部２０に落下しても、床部２０の略全面に設けられた４面の水パン２１１、２１２、２１３、２１４に生成されている流水に捕捉されて乾燥炉２外に排出される。
【００２６】
以上のように本実施の形態の乾燥装置１によれば、床部２０に落下した塵埃が流水に捕捉されるため、再び舞い上がることがない。したがって、排気ダクト３７を乾燥炉２の上部に設置することができ、熱風の流れ（上昇気流）に逆らうことなく排気することができる。また、エネルギーを有効に活用することができるとともに、塗装不良を激減させ、乾燥炉２の炉内清掃周期や出入口のヤニ清掃周期を大幅に長くすることができる。
【００２７】
なお、本発明は前記実施の形態のものに限定されるものではなく、その趣旨を逸脱しない範囲で様々な変更が可能である。
例えば、前記実施の形態では、熱風を吹き出すタイプの乾燥炉に適用したもので説明したが、これに限られず、赤外線等を照射する乾燥炉に適用することも可能である。
また、前記実施の形態では、４分割した水パンで説明したが、これに限られず、複数に分割したものでも採用可能である。
また、被搬送物として被塗装物を車両で説明したが、家電等要するに塗装品質が要求されるものであればよい。
【図面の簡単な説明】
【００２８】
【図１】本発明の一の実施の形態に係る乾燥装置の、正面断面図である。
【図２】本発明の一の実施の形態に係る乾燥装置の、側面概念図である。
【図３】本発明の一の実施の形態に係る乾燥装置の、床部を示す斜視図である。
【図４】本発明の一の実施の形態に係る乾燥装置の、水パンの拡大断面図である。
【符号の説明】
【００２９】
１          搬送装置
２          乾燥炉
３          機械室
４          搬送機
５          被搬送物（車両）
２０        床部
２０１      床壁部
２０２      床骨部
２１        水パン
２１１〜２１４  各水パン
２３        左右壁
２５        前後壁
２７        底板
３０        側壁部
３１        下吹出口
３３        上吹出口
３５        排気口
３７        排気ダクト
４０        天井部
５１        入口
５３        出口
５５        エキスパンション部
６０        架台
６３        支柱
７０        コンベア
７１        ベース
７３        レール
７５        駆動チェーン
７５１      プッシャ
７７        フレーム
７７１      車輪
７７３      軸
７７５      当接爪
８１        給水部
８３        排水部
【図１】
2008232517.tif 000003
【図２】
2008232517.tif 000004
【図３】
2008232517.tif 000005
【図４】
2008232517.tif 000006